(57)【特許請求の範囲】
【請求項１】
物品を保持するためのファイルであって、
第１の片部と、
前記第１の片部に接続される第２の片部と、
前記第１の片部及び前記第２の片部の開放領域を閉鎖するための第１の閉鎖手段と、
前記第１の片部及び前記第２の片部の一方に連結され、前記開放領域を閉鎖するための第２の閉鎖手段と、を備え、
前記開放領域が下方に向くように前記ファイルが載置される状態において、前記第１の閉鎖手段が、前記第１の片部及び前記第２の片部の下端部に配置され、
前記第２の閉鎖手段は、前記第１の片部及び前記第２の片部の他方の表面上又はその近傍に位置する折り曲げられた第１の姿勢と、使用者により撓まされると前記第１の片部及び前記第２の片部の他方の表面から離間する第２の姿勢と、をとることができる可撓性を有し、前記第２の閉鎖手段の初期状態は、前記第１の姿勢であることを特徴とするファイル。
【請求項２】
前記第２の閉鎖手段が、前記第１の片部と前記第２の片部の下端部に交差する方向に延在する一端部に配置されることを特徴とする請求項１に記載のファイル。
【請求項３】
前記物品を分別するための分別手段が配置される載置位置をガイドするための第１のガイド手段を備え、前記第１のガイド手段は、前記第２の片部の表面から視認可能であることを特徴とする請求項１又は２に記載ファイル。
【請求項４】
さらに、前記物品を分別するための分別手段が載置される載置位置をガイドするための第２のガイド手段を備え、前記第２のガイド手段は、前記第１の片部の表面から視認可能であることを特徴とする請求項１〜３のいずれか一項に記載にファイル。
【請求項５】
前記第２の片部には、書画が描かれていることを特徴とする請求項１〜４のいずれか一項に記載のファイル。
【請求項６】
前記第１の片部及び前記第２の片部は、一部材から構成されていることを特徴とする請求項１〜５のいずれか一項に記載のファイル。
【発明の詳細な説明】
【技術分野】
【０００１】
本発明は、書類等の物品を確実に保持するためのファイルに関するものである。
【背景技術】
【０００２】
従来より、ファイルの一例であるクリアファイル又はホルダは、シートが複数枚重ねられ、綴じ合わされた保持部材であり、物品などがシートの間に挟まれ、分類、整理することに用いられる。一般的によく利用されるクリアファイルは、透明、又は半透明なシート状の部材であり、PP（ポリプロピレン）、トウモロコシなどの植物の成分から作製される植物系生分解性の材料や、市場から回収されたペットボトルから作製される。
【０００３】
特許文献１は、顧客名、とじ込まれた資料や提案書などの書類名などをプリンタによりクリアファイルの表裏面に印字する場合に、搬送ローラの加圧の影響で、重ね合わされた２枚のシート基材にシワが入ることを防止できるクリアファイルを開示する。当該クリアファイルは、重ねられた一対のシート基材の書類の出し入れする側の角部分に、剥離可能な生地接着剤が設けられている。
【先行技術文献】
【特許文献】
【０００４】
【特許文献１】特開2012-111056号公報
【発明の概要】
【発明が解決しようとする課題】
【０００５】
上述のように、特許文献１は、クリアファイルの２つの片部の面へ書画を容易に印字できるクリアファイルを開示する。しかし、互いに重ねられた片部の開放領域が下方に向けられ、かつ、重ねられた片部の閉鎖領域が上方に向けられた状態で、クリアファイルが収納されるキャビネット、戸棚等の収納手段に載置されると、当該クリアファイルから物品が落下し、物品を保持できない恐れがある。
【０００６】
本発明は、かかる事情に鑑みてなされたものである。すなわち、本発明は、物品を確実に保持できるファイルを提供することを目的とする。
【課題を解決するための手段】
【０００７】
上述した課題を解決し、目的を達成するために、本発明のファイルの第１の態様は、第１の片部と、前記第１の片部に接続される第２の片部と、前記第１の片部及び前記第２の片部の開放領域を閉鎖するための第１の閉鎖手段と、を備え、前記開放領域が下方に向くように前記ファイルが載置される状態において、前記第１の閉鎖手段が、前記第１の片部及び前記第２の片部の下端部に配置される。
【０００８】
また、本発明の第２の態様によれば、第１の態様のファイルであって、さらに、前記開放領域を閉鎖するための第２の閉鎖手段を備え、前記第２の閉鎖手段が、前記第１の片部と前記第２の片部の下端部に交差する方向に延在する一端部に配置される。
【０００９】
さらに、本発明の第３の態様によれば、第１又は第２の態様のファイルであって、前記物品を分別するための分別手段が配置される載置位置をガイドするための第１のガイド手段を備え、前記第１のガイド手段は、前記第２の片部の表面から視認可能である。
【００１０】
本発明の第４の態様によれば、第１乃至第３の態様のいずれかのファイルであって、さらに、前記物品を分別するための分別手段が載置される載置位置をガイドするための第２のガイド手段を備え、前記第２のガイド手段は、前記第１の片部の表面から視認可能である。
【００１１】
本発明の第５の態様によれば、第１乃至第４の態様のいずれかのファイルであって、前記第２の片部には、書画が描かれている。
【００１２】
本発明の第６の態様によれば、第１乃至第５の態様のいずれかのファイルであって、前記第１の片部及び前記第２の片部は、一部材から構成されている。
【００１３】
また、本明細書において、書画には、写真、絵、線画等の各種の模様、文字等を描写した水墨画、絵画、その他写真等又は水墨画風、絵画風、その他写真風の図が含まれる。なお、本明細書における画風とは、画像又は書画における視覚的な印象をいい、画像又は書画に表れた画家または流派の特色や傾向、もしくは、画像又は書画の表現の仕方の特徴や傾向を意味する。
【発明の効果】
【００１４】
本発明に係るファイルによれば、第１及び第２の片部の開放領域を閉鎖するための第１の閉鎖手段を設けることにより、保持される物品がファイルの外部へ不意に出ることを防止でき、物品を確実に保持できる。
【図面の簡単な説明】
【００１５】
【図１】（ａ）は、本発明の第１の実施形態に係るファイルの正面図であり、（ｂ）は、本発明の第１の実施形態に係るファイルの背面図であり、（ｃ）は、図１（ａ）の線ＩＣ−ＩＣに沿った断面図である。
【図２】（ａ）は、本発明の第２の実施形態に係るファイルの正面図であり、（ｂ）は、本発明の第２の実施形態に係るファイルの背面図である。
【図３】（ａ）は、本発明の第３の実施形態に係るファイルの正面図であり、（ｂ）は、ラベルの平面図である。
【発明を実施するための形態】
【００１６】
〔第１の実施形態〕
以下に、本発明を適用した実施形態に係るファイルについて図面を参照しつつ説明する。なお、後述する第１〜第３の実施形態により本発明が限定されるものではない。また、以下の説明において、同一の構成には、同一の符号を付し、その説明を省略又は簡略化する。
【００１７】
図１（ａ）は、本発明の第１の実施形態に係るファイル１の正面図であり、図１（ｂ）は、本発明の第１の実施形態に係るファイル１の背面図であり、図１（ｃ）は、図１（ａ）の線ＩＣ−ＩＣに沿った断面図である。
【００１８】
ファイル１は、書類、媒体等の物品を保持するために用いられ、主として、第１の片部３と、第１の片部３に接続される第２の片部５と、第１の片部３及び第２の片部５の開放領域を閉鎖するための第１の閉鎖手段である閉鎖部１９と、を備える。さらに、図示しない棚、キャビネット等にファイル１が図１（ａ）に示される姿勢において、閉鎖部１９が、第１の片部３及び第２の片部５の下端部Ｂに配置される。
【００１９】
さらに、ファイル１の構成について以下に詳細に説明する。ファイル１は、単一のシート状の部材が所定の直線に沿って折り曲げられ作製される。すなわち、単一のシート状の部材を折り畳むときにできる境目の筋、すなわち境界部１１が、第１の片部３及び第２の片部５を接続する線状の上端部Ｔ（すなわち閉鎖部）を構成する。また、ファイル１は、Ａ４サイズ（ＩＳＯ２１６で画定されている紙の仕上がり寸法の国際標準）の紙を収納できるようにＡ４サイズの縦及び横の長さ寸法より若干大きく寸法付けられている。
【００２０】
さらに、第２の片部５の表面５ａには、水墨画風の絵が印刷されている。なお、図面において、実施形態の理解を容易にするために、第１及び第２の片部３，５は、白色のシート部材に、黒色の線図で表現されているが、本実施形態において、第１の片部３は、半透明の白色のシート状の領域から構成され、第２の片部５は、第１の片部３を視認できるような透明の領域を有する。従って、第１の片部３の表面３ａから第２の片部５に描かれている絵を視認できる。また、第２の片部５の表面５ａから第１の片部に設けられている第２の格子部９（詳細は後述する。）が視認できる。
なお、第１及び第２の片部３，５の右端部ＳＲは、開放可能な開放部を構成する。
【００２１】
さらに、本実施形態は、単一のシート状の部材を折り曲げることにより、第１及び第２の片部３，５が形成される構成であるが、本発明は本構成に限定されない。例えば、複数の部材の縁部を、接着剤、熱溶着等により連結することにより、第１及び第２の片部を別体の部材から構成することも可能であることは言うまでもない。
【００２２】
第２の片部５の表面５ａ上であって、境界部１１及びその近傍には、ガイド手段である第１の格子部７が設けられている。第１の格子部７は、図１（ａ）の左右方向に延びる直線状に延びる水平部７ａと、水平部７ａに直交する直線状の鉛直部７ｂとを有し、正方形状である。
【００２３】
第１の格子部７に従って、図３に示されるようにラベル１３を所望の位置に装着可能である。また、第２の片部５の下端部Ｂには、半円状に切り欠けられた切り欠き部１５が設けられている。この切り欠き部１５を設けることにより、第１と第２の片部３，５間を容易に開くことができる。
【００２４】
第１の片部３の表面３ａには、ほぼ全領域に亘り第２の格子部９が設けられている。第２の格子部９は、複数の正方形状の格子から構成され、各格子は図中の左右方向に延びる直線状の水平部９ａと水平部９ａに直交する直線状の鉛直部９ｂとを備える。第２の格子部９は、前述したように、図３の第２のラベル１３を所望の位置に確実に配置するためのガイド機能を有する。さらに、第２の格子部９は、第１のラベル２７を使用者が配置する際には、第２の格子部９により所望の位置に配置できる。
【００２５】
また、図１（ａ）においてファイル１の左端部に対応する、第１の片部３と第２の片部５の左端部ＳＬは、ほぼ全域に亘り互いに溶着される左縁接合部１７を有し、左縁接合部１７は、第１及び第２の片部３，５が、熱により溶かされ、加圧と冷却により接着される熱溶着により互いに接着されている部分である。なお、本実施形態では、熱溶着により左縁接合部１７が溶着される構成であるが、接着剤等の他の方法により左縁接合部１７を接合されることも可能である。
【００２６】
さらに、図１（ａ），（ｂ）において、第１の片部３と第２の片部５の下端部Ｂには、閉鎖部１９が設けられ、閉鎖部１９は、第１及び第２の片部３，５の一部が熱により溶かされ、加圧と冷却により接着される熱溶着により接着され形成される。すなわち、ファイル１の下端部は、第１の片部３と第２の片部３，５が閉鎖されている閉鎖部１９と、物品を収容する際に開放できる開放部とを有する構成である。本実施形態のように、ファイル１の開放部が下方に向けられる状態で配置される場合には、ファイル１内に収容された物品が予期せずに外部に落下すことが予想される。本実施形態によれば、ファイル１は、閉鎖部１９を備えるので、ファイル１に保持されている物品が外部へ落下することを防止できる。なお、第１及び第２の片部３，５に設けられる閉鎖部１９は、溶着される構成であるが、接着剤等の他の方法により閉鎖部１９を作成することも可能である。また、本実施形態では、閉鎖部１９は、図１（ａ）において、左方に設けられているが、適宜変更できることは言うまでもない。
〔第２の実施形態〕
以下に、本発明が適用された第２の実施形態であるファイル１０１について図面を参照しつつ説明する。図２（ａ）は、本発明の第２の実施形態に係るファイル１０１の正面図であり、図２（ｂ）は、本発明の第２の実施形態に係るファイル１０１の背面図である。
【００２７】
第２の実施形態に係るファイル１０１は、第１の実施形態に係るファイル１と異なり、第１の片部１０３に第２閉鎖手段である舌部１３１が設けられている。また、ファイル１０１の構成要素については、第１の実施形態に係るファイル１と異なる構成要素について主として説明し、同じ構成要素ついては記載を省略する。従って、特に記載しない構成要素や当該構成要素による効果は、第１の実施形態と同じである。
【００２８】
また、第２の実施形態では、第１の片部１０３の表面１０３ａに、図１（ａ）に示される書画と同様の書画が記載され、第２の片部１０５の表面１０５ａには、図１（ｂ）に示される線図と第２の格子部１０９が表示されている。また、第１の片部１０３の表面１０３ａには、第１の実施形態と同様の第１の格子部１０７が表示されている。
【００２９】
舌部１３１は、図２（ｃ）に示されるように、第１の片部１０３の右端部ＳＲに設けられている。本実施形態では、第２の片部１０５と舌部１３１が、単一の材料から構成されているが、本発明の第２の閉鎖手段は、本構成に限定されない。例えば、第１の片部１０３と第２の閉鎖手段が、単一の材料である構成や、第１又は第２の片部１０３，１０５の表面１０３ａ，１０５ａ又は裏面１０３ｂ，１０５ｂに舌部が装着される構成とすることも可能である。
【００３０】
さらに、舌部１３１の形状は、図２（ｃ）において平面状に示されているが、図１（ａ）に示されるように、第１の片部１０３の近傍では、折り曲げられた状態が維持され、第１の片部１０３の裏面１０３ｂ側に延材する構成である。従って、ファイル１０１の初期姿勢では、図２（ａ）に示されるように、第２の片部１０５の表面１０５ａ上に延材する。使用者が、第１及び第２の片部３，５の右端部ＳＲ及び下端部Ｂの開放領域から、物品が第１及び第２の片部１０３，１０５内に進入される際には、図１（ｃ）に示されるに、使用者により舌部１３１が右方に撓ませられると、第１及び第２の片部１０３，１０５内に物品が挿入可能である。使用者が舌部１３１から手を放すと、舌部１３１は図１（ａ）に示される初期姿勢に戻り、第２の片部１０５の表面１０５ａ上又はその近傍に位置する。
【００３１】
このように、本実施形態によれば、仮にファイル１０１が、使用者によりファイル１０１が持ち上げられたり、ファイル１０１が図２（ａ）に示す状態で棚に載置される場合であっても、第１の閉鎖手段である閉鎖部１１９と、第２の閉鎖手段である舌部１３１により、物品がファイル１０１の外部へ移動することを防止でき、物品がファイル１０１内に確実に保持される。
【００３２】
なお、本実施形態では、第１の閉鎖手段である閉鎖部１１９と、第２の閉鎖手段である舌部１３１と、を有する構成としたが、閉鎖部１１９と舌部１３１の配置位置を変更したり、閉鎖部１１９と舌部１３１の位置を交換したり、舌部１３１（又は閉鎖部１１９）の代わりに閉鎖部１１９（又は舌部１３１）を配置する構成に変更することも可能である。
【００３３】
〔第３の実施形態〕
以下に、本発明が適用された第３の実施形態であるファイル１について図１、３を参照しつつ説明する。図３（ａ）は、本発明の第３の実施形態に係るファイル１の正面図であり、図３（ｂ）は、ラベル１３の平面図である。
【００３４】
第３の実施形態に係るファイル１は、第１の実施形態に係るファイル１に、第２のラベル１３が貼付される構成である。すなわち、本実施形態のファイル１は、図１（ａ）に示される第１のラベル２７に加え、第２のラベル１３が貼付される構成である。第２のラベル１３は、図３（ｂ）に示されるように、略矩形でシート状の部材である。図３（ｂ）の破線で示される中央線２３に沿って折り曲げられ、ファイル１の上端部Ｔに貼付される。第２のラベル１３は、第２の片部５の第１の格子部７、及び第１の片部３の第２の格子部９（図１（ａ）参照。）に沿って配置することができる。このように、第１のガイド部７と第２のガイド部９により、第２のラベル１３を所望の位置に確実に配置できる。
【００３５】
本実施形態では、ファイル１，１０１を構成する片部３，５，１０３，１０５は、透明又は半透明の部材から構成されているが、不透明の部材から構成することも可能である。さらに、片部５，１０３は、白色の部材から構成されているが、適宜変更可能である。
【００３６】
なお、本実施形態では、第１の格子部７の水平部７ａと第２の格子部９の水平部９ａが整合し、第１の格子部７の鉛直部７ｂと第２の格子部９の鉛直部９ｂが整合する構成であるが、本発明は本構成に限定されない。第１の片部３及び第２の片部５が透明又は半透明の部材から形成され、第１の片部３及び第２の片部５の一方から、第１の片部３及び第２の片部５の他方のガイド部材を視認できる構成とすることにより、第１の片部３及び第２の片部５の前記一方の水平部又は垂直部を備えずに、第１及び第２の片部３，５で格子部を共有できる構成のガイド部材を設けることも可能である。
【００３７】
また、本実施形態において、格子部の水平部及び鉛直部は直線形状であるが、湾曲線状や、多角形状に構成することも可能であり、格子部は実線の代わりに点線又は破線から構成することも可能である。
【００３８】
さらに、本実施形態では、ファイルの一方の片部に水墨画調の絵が描かれる構成であるが、洋画調、日本画調等、所望の書画をファイルの他方の片部に印字することも可能である。なお、本実施形態の片部は四角形状であるが、その他の多角形状や、曲率を有する湾曲形状等の片部を本発明のファイルに適用できる。
【００３９】
ファイル１、１０１は、透明、又は半透明なシート状の部材であり、PP（ポリプロピレン）、トウモロコシなどの植物の成分から作製される植物系生分解性の材料や、市場から回収されたペットボトルから作製できる。
【００４０】
以上、本発明の実施形態について説明したが、本発明はこれらの実施形態に限定されず、その要旨の範囲内で種々の変形及び変更が可能である。
【符号の説明】
【００４１】
１，１０１  ファイル
３，１０３  第１の片部
３ａ，１０３ａ  表面
３ｂ，１０３ｂ  裏面
５，１０５  第２の片部
５ａ，１０５ａ  表面
７，１０７  第１の格子部，ガイド手段
７ａ，９ａ，１０７ａ  水平部
７ｂ，９ｂ，１０７ｂ  鉛直部
９，１０９  第２の格子部，ガイド手段
１１，１１１  境界部
１３  第２のラベル
１５，１１５  切り欠き部
１７，１１７  左縁接合部
１９，１１９  閉鎖部，第１の閉鎖手段
２３  中央線
２７  第１のラベル
１３１  舌部，第２の閉鎖手段
Ｂ  下端部
ＳＬ  左端部
ＳＲ  右端部
Ｔ  上端部
【要約】
【課題】物品を確実に保持できるファイルを提供すること。
【解決手段】物品を保持するためのファイル１は、第１の片部３と、第１の片部３に接続される第２の片部５と、第１の片部３及び第２の片部５の開放領域を閉鎖するための第１の閉鎖手段１９と、を備え、開放領域が下方に向くようにファイル１が載置される状態において、第１の閉鎖手段１９が、第１の片部３及び第２の片部５の下端部Ｂに配置される。
【選択図】図１【図１】
0006814999.tif 000002
【図２】
0006814999.tif 000003
【図３】
0006814999.tif 000004